(57)【要約】【課題】  把持部内への竪樋の装入を位置ズレすることなくまっすぐに円滑、かつ容易に可能とし、爪部を竪樋の縦溝部内に確実に安定した状態で嵌入させて竪樋を把持する取付金具とする。【解決手段】  対向する把持片１２を有し、前方に向って開かれた断面コ字状の把持部１０とこれに連設された取付固定部１１とを備え、角型竪樋２の三面を前記把持部１０で把持する竪樋取付金具１であって、対向する把持片１２の各々は、竪樋２に設けられた縦溝部２１に嵌入される爪部１３を有しているとともに、爪部１３よりもさらに前方に延びる把持ガイド部１４を備えている竪樋取付金具１する。【選択図】  図１
2011069099.tif 000002
【特許請求の範囲】
【請求項１】
対向する把持片を有し、前方に向って開かれた断面コ字状の把持部とこれに連設された取付固定部とを備え、角型の竪樋の三面を前記把持部で把持する竪樋取付金具であって、対向する把持片の各々は、竪樋に設けられた縦溝部に嵌入される爪部を有しているとともに、爪部よりもさらに前方に延びる把持ガイド部を備えていることを特徴とする竪樋取付金具。
【請求項２】
把持ガイド部の先端部は前方に膨出する曲面を有していることを特徴とする請求項１に記載の竪樋取付金具。
【請求項３】
請求項１または２に記載の竪樋取付金具をもって竪樋が取付固定されていることを特徴とする竪樋の取付構造。
【発明の詳細な説明】
【技術分野】
【０００１】
本発明は竪樋取付金具とこれにより竪樋を取付固定した竪樋の取付構造に関するものである。
【背景技術】
【０００２】
従来、建物の壁面等に雨水用の竪樋を取付金具をもって固定するに際しては、風雨や振動等によって竪樋がガタつくことなく、また、竪樋が外れないように工夫されてきている。
【０００３】
たとえば図３に示したように、竪樋取付金具１では、壁面等への取付固定部１１から前方に向って延設した一対の対向する把持片１２の各々の先端部に対向内方向に向う爪部１３を設ける。そして、この爪部１３が、竪樋２の両側面に設けた縦溝部２１に嵌入し、竪樋取付金具１が竪樋２を把持するように工夫している（例えば特許文献１−４参照）。
【０００４】
しかしながら、これらの爪部１３を備えた対向する把持片１２をもっての竪樋２の取付固定に際しては、例えば図４に示したように対向内方に向って突出する爪部１３が存在するため、実際に竪樋２を装着しようとすると、爪部１３が障害となって図中の矢印方向への装入が難しくなり、装入ができた場合でも、位置ズレが生じて爪部１３が竪樋２の縦溝部２１内に嵌入されずに竪樋２の側面に当接した状態になってしまうなどの不具合が生じやすいという問題があった。
【０００５】
また、爪部１３での把持だけでは、竪樋２のガタつきや、さらには外れ防止の効果は必ずしも十分でないことが懸念されていた。
【先行技術文献】
【特許文献】
【０００６】
【特許文献１】特開２００５−１６２５３号公報
【特許文献２】実開平６−７８４５４号公報
【特許文献３】特開平７−３９６９号公報
【特許文献４】実開平５−４２４５６号公報
【発明の概要】
【発明が解決しようとする課題】
【０００７】
本発明は、以上のとおりの背景から、従来の問題点を解消し、竪樋の装入が円滑、容易であって、安定した確実な取付が可能な新しい竪樋取付金具と、これを用いた竪樋の取付構造を提供することを課題としている。
【課題を解決するための手段】
【０００８】
本発明の竪樋取付金具は以下のことを特徴としている。
【０００９】
第１：対向する把持片を有し、前方に向って開かれた断面コ字状の把持部とこれに連設された取付固定部とを備え、角型竪樋の三面を前記把持部で把持する竪樋取付金具であって、対向する把持片の各々は、竪樋に設けられた縦溝部に嵌入される爪部を有しているとともに、爪部よりもさらに前方に延びる把持ガイド部を備えている。
【００１０】
第２：前記把持ガイド部の先端部は前方に膨出する曲面を有している。
【００１１】
また、本発明は以上の特徴を有する竪樋取付金具を用いた竪樋取付構造も提供する。
【発明の効果】
【００１２】
前記第１の本発明によれば、把持片に設けた、爪部よりもさらに前方に延びる把持ガイド部の存在によって断面コ字状の把持部内への竪樋の装入が位置ズレすることなくまっすぐに円滑、かつ容易に可能となる。
【００１３】
そして爪部が竪樋の縦溝部内に確実に安定した状態で嵌入されることになる。
【００１４】
しかもまた、把持ガイド部の存在によって、把持片と竪樋との当接にともなう接触部分が増大することから、取付られた竪樋のガタつきをより効果的に防止し、竪樋が外れてしまうという懸念も軽減されることになる。
【００１５】
第２の発明によれば、把持ガイド部先端が前方に膨出する曲面を有していることから、竪樋装入の円滑さ、容易さはより一層効果的なものとなる。
【００１６】
そして、第３の発明によって、これら効果が発現される竪樋の取付構造も実現されることになる。
【図面の簡単な説明】
【００１７】
【図１】本発明の実施形態を示した水平断面部とその要部拡大図である。
【図２】竪樋の装入作業時の状態を示した要部断面図である。
【図３】従来例を示した水平断面図とその要部拡大図である。
【図４】従来例での竪樋装入時について示した要部断面図である。
【発明を実施するための形態】
【００１８】
図１は、本発明の第１の実施形態として、竪樋取付金具１により竪樋２を把持固定した取付状態を示した水平断面図である。例えば、この図１に示したように、竪樋取付金具１は、対向する一対の把持片１２を有し、前方、つまり建物壁面等から前に向って開かれた断面コ字状の把持部１０とこれに連設された壁面等への取付固定部１１とを備えている。
【００１９】
また、竪樋取付金具１は、対向する把持片１２の各々に、爪部１３とともに、この爪部１３よりもさらに前方に向って延びる把持ガイド部１４を有している。
【００２０】
以上のとおりの竪樋取付金具１は、竪樋２の取付固定時においては、角型の竪樋２の三面を断面コ字状の把持部１０において把持することになる。その際には、竪樋取付金具１の把持片１２に設けた爪部１３が、竪樋２の縦溝部２１内に嵌入されて、把持部１０がしっかりと確実に、安定して竪樋２を把持固定することになる。
【００２１】
図２（ａ）（ｂ）（ｃ）は、このような把持固定のための作業時について示した要部断面図である。爪部１３を有する把持片１２に対し、図中の矢印方向から竪樋２が装入されることになる。その際に、把持片１２において爪部１３よりも前方に向って延設されている把持ガイド部１４が、その先端部１４１および内面部１４２において竪樋２の側面２２に当接しながら、竪樋２の装入をガイド（案内）する。このため、竪樋２は、その姿勢、位置がズレることなく、まっすぐに装入され、竪樋２の縦溝部２１内にスムーズに爪部１３が誘導されて、所定の位置でしっかりと確実に嵌入されることになる。図３に示したような従来の場合における竪樋２の装入の困難さや姿勢、位置のズレによる不具合は生じない。
【００２２】
また、図１からも明らかなように、把持ガイド部１４の存在によって、把持片１２が竪樋２の側面２２に接触する部分は把持ガイド部１４を持たない従来に比べてはるかに大きくなる。
【００２３】
さらには爪部１３の竪樋２の縦溝部２１内への嵌入状態もより安定したものとなる。このため、従来に比べて、竪樋２のガタつきの抑制はより効果的となり、その外れ防止効果もより大きなものとなる。
【００２４】
竪樋取付金具１は、その素材構成としては金属製、樹脂製、複合樹脂製等の各種であってよい。また、その取付固定部１１での建物壁面等への取付については、釘、ビス等の止着具、あるいはあらかじめ固定しておいた台座部への嵌着、もしくは座金を介しての固定等の様々な手段が適用されてよい。
【００２５】
爪部１３は、図２に示したように竪樋２の装入時に把持片１２とともに若干の弾性変形が可能なものとし、かつ、その弾発力によって竪樋２の縦溝部２１内への嵌着が確実となるようにする。また、把持片１２に延設した把持ガイド部１４については、その先端部１４１は、竪樋２の装入ガイドをよりスムーズに行うためにも、面取りや曲面化してあることが望ましい。
【００２６】
図１および図２の例のように、前方に向って膨出する曲面であることがより望ましい。
【００２７】
角型の竪樋２には、その強度や取付性を考慮して図１、図２のように四隅に切欠き２３が形成されている場合が多い。このような角型の竪樋２の場合には、その竪樋取付金具１における把持部１０内への装入を円滑にガイドするとの観点からは、図１に示した寸法、すなわち、把持片１２での爪部１３からの把持ガイド部１４の長さ：Ａとした場合、竪樋２の後方切欠き２３の長さ：Ｂに対しては、Ｂ＜Ａであることが望ましい。また、竪樋２の前方側面の長さ：Ｃに対しては引掛けによる不具合の原因とならないように、先端部１４１を突出させず、Ａ＜Ｃであることが望ましい。
【００２８】
以上の図１の実施形態では、対向する把持片１２での爪部１３は、ほぼ同様の形状を持つものとしているが、各々が相違していてもよいことは言うまでもない。例えば、一方が差込型突起であって、他方が、図１、図２のように断面非対称の形状であってもよい。
【００２９】
もちろん本発明は以上の例に限定されることはない。様々な細部の形態が可能とされる。
【符号の説明】
【００３０】
１    竪樋取付金具
１０  把持部
１１  取付固定部
１２  把持片
１３  爪部
１４  把持ガイド部
１４１  先端部
１４２  内面部
２    竪樋
２１  縦溝部
２２  側面
２３  切欠き
【図１】
2011069099.tif 000003
【図２】
2011069099.tif 000004
【図３】
2011069099.tif 000005
【図４】
2011069099.tif 000006